(57)【要約】【課題】摩擦係数が設計値からずれていたり、変動したりした場合であっても、免震時に、摩擦力の変動を小さく抑えて、安定した減衰作用を行わせることができる摩擦免震支承構造を提供する。【解決手段】滑動子１が上部構造部３の側に傾倒可能に備えられると共に、滑動子１を滑らせる受け面２が下部構造部の側に備えられ、滑動子１には側方張り出し部６が一体的に設けられ、該側方張り出し部６に転動子７…が設けられ、免震時、滑動子１が摩擦力で傾倒したとき、転動子７が転動可能に受け面２に当接するようになされている。【選択図】      図１
2008128462.tif 000002
【特許請求の範囲】
【請求項１】
上部構造部と下部構造部のいずれか一方の側に滑動子が備えられると共に、もう一方の側に、滑動子を滑らせる受け面が備えられ、該受け面と前記滑動子とが水平方向に相対的に滑って免震を行うようになされた摩擦免震支承構造において、
前記滑動子が構造部に傾倒可能に備えられると共に、滑動子には側方張り出し部が一体的に設けられ、該側方張り出し部に転動子が設けられ、免震時、滑動子が摩擦力で傾倒したとき、転動子が受け面に転動可能に当接するようになされていることを特徴とする摩擦免震支承構造。
【発明の詳細な説明】
【技術分野】
【０００１】
本発明は、免震建物などに用いられる摩擦免震支承構造に関する。
【背景技術】
【０００２】
上部構造部と下部構造部のいずれか一方の側に滑動子が備えられると共に、もう一方の側に、滑動子を滑らせる受け面が備えられ、該受け面と前記滑動子とが水平方向に相対的に滑って免震を行うようになされた摩擦免震支承構造では、摩擦係数が、製造のバラツキによって設計値からずれていたり、温度変化や、免震時の滑りの繰り返し等によって変動したりすることにより、免震時に安定した摩擦減衰作用が行われない場合がある。
【特許文献１】特開２００２−３６４７０４号公報
【発明の開示】
【発明が解決しようとする課題】
【０００３】
本発明は、上記のような問題点に鑑み、摩擦係数が設計値からずれていたり、変動したりした場合であっても、免震時に、摩擦力の変動を小さく抑えて、安定した減衰作用を行わせることができる摩擦免震支承構造を提供することを課題とする。
【課題を解決するための手段】
【０００４】
上記の課題は、上部構造部と下部構造部のいずれか一方の側に滑動子が備えられると共に、もう一方の側に、滑動子を滑らせる受け面が備えられ、該受け面と前記滑動子とが水平方向に相対的に滑って免震を行うようになされた摩擦免震支承構造において、
前記滑動子が構造部に傾倒可能に備えられると共に、滑動子には側方張り出し部が一体的に設けられ、該側方張り出し部に転動子が設けられ、免震時、滑動子が摩擦力で傾倒したとき、転動子が受け面に転動可能に当接するようになされていることを特徴とする摩擦免震支承構造によって解決される。
【０００５】
この摩擦免震支承構造では、例えば、滑動子と受け面の摩擦係数が変動した場合、免震時の摩擦力による滑動子の傾倒動作で受け面に当接する転動子の当接力が変動し、それに伴って、滑動子と受け面とに作用する抗力が、摩擦力の変動を小さくするよう変動して、免震時に、安定した減衰作用を行わせることができる。
【発明の効果】
【０００６】
本発明の摩擦免震支承構造は、以上のとおりのものであるから、摩擦係数が設計値からずれていたり、変動したりした場合であっても、免震時に、摩擦力の変動を小さく抑えて、安定した減衰作用を行わせることができる。
【発明を実施するための最良の形態】
【０００７】
次に、本発明の実施最良形態を図面に基づいて説明する。
【０００８】
図１（イ）（ロ）に示す実施形態の摩擦免震支承構造において、１は滑動子、２は受け面であり、滑動子１は上部構造部３の側に備えられ、受け面２は図示しない下部構造部の側に備えられて、受け面２上に滑動子１が支承され、地震時に、滑動子１と受け面２とが水平方向において滑ることにより、免震と、摩擦による減衰とが行われるようになされている。
【０００９】
そして、上記の滑動子１は、柱状をしていて、その上端部が半球体５との嵌合などによって上部構造部３に傾倒可能に連結されており、また、滑動子１の高さ中間部には、円板状の側方張り出し部６が一体的に設けられ、この張り出し部６の下面側に、球体などによる複数の転動子７…が周方向に間隔をおいて分散状態に設けられ、滑動子１が直立した状態で、周方向の各転動子７…が受け面２に対して近接して位置するようになされて、滑動子１が免震時に傾倒すると、その方向に位置する転動子７が受け面２に転動可能に当接するようになされている。
【００１０】
また、滑動子１は、その先端部にゴムなどの弾性体８を介して摩擦材９を備えたものからなっていて、滑動子１が傾倒状態となっても、弾性体８が変形をし摩擦材９が受け面２と面接触状態を維持することができるようになされている。
【００１１】
上記の摩擦免震支承構造では、図２（イ）に示すように、地震によって上部構造部３と下部構造部とが水平方向に相対変位をすると、滑動子１が、受け面２との摩擦力によって傾倒し、傾倒方向に位置する転動子７が受け面２に当接し、滑動子１が受け面２を滑り、転動子７が受け面２上で転動をして、免震と、滑動子１と受け面２との摩擦による減衰とが行われる。
【００１２】
そして、滑動子１と受け面２の摩擦係数が、製造によるバラツキで設計値よりも大きかったり、温度変化や免震時の滑りの繰り返し等によって大きくなる方向に変動した場合は、受け面２に対する転動子７の当接力Ｎｂが大きくなり、それに伴って、滑動子１と受け面２との間で作用する抗力Ｎｓ（＝Ｎ−Ｎｂ）が小さくなって、摩擦力Ｆａが大きくなるのが抑制され、免震時に、滑動子１と受け面２との摩擦による安定した減衰作用が行われる。
【００１３】
また、滑動子１と受け面２の摩擦係数が、製造によるバラツキで設計値よりも小さかったり、温度変化等によって小さくなる方向に変動した場合は、受け面２に対する転動子７の当接力Ｎｂが小さくなり、それに伴って、滑動子１と受け面２との間で作用する抗力Ｎｓ（＝Ｎ−Ｎｂ）が大きくなって、摩擦力が小さくなるのが抑制され、免震時に、滑動子１と受け面２との摩擦による安定した減衰作用が行われる。
【００１４】
更に、免震開始時の静止摩擦力で転動子７が受け面２に強く当接すると、滑動子１と受け面２との間で作用する抗力が小さくなり、静止摩擦力が小さくなって地震時にスムーズに免震動作を開始することが可能になる。
【００１５】
なお、摩擦力Ｆａの変動の大きさは、ｈとｅの値にも依存しており、ｈとｅをうまい具合に設定することによって、摩擦力Ｆａの変動を非常に小さいものにすることができる。
【００１６】
このように、免震時に、滑動子１と受け面２との摩擦による安定した減衰作用が行われることにより、複数の摩擦免震支承構造を平面方向に分散状態も設けた建物などにおいて、免震時に上部構造部にねじれが生じるのを抑制することも可能になるし、滑動子１と受け面２とが引っ掛かりそうな場合であっても、それをかわしてスムーズに滑り始めることができる。
【００１７】
なお、滑動子１は、免震時に傾倒動作を行うことを必須とするように設計されていてもよいし、図２（ロ）に示すように、通常の免震状態では、滑動子１が傾動せず、ただ、滑動子１と受け面２との摩擦力が大きくなったときに、図２（イ）に示すように、滑動子１が傾倒して転動子７が受け面２に当接するように設計されていてもよい。
【００１８】
以上に、本発明の実施形態を示したが、本発明はこれに限られるものではなく、発明思想を逸脱しない範囲で各種の変更が可能である。例えば、上記の実施形態では、滑動子１が上部構造部３の側に、受け面２が下部構造部の側に備えられている場合を示したが、滑動子１が下部構造部の側に、受け面２が上部構造部３の側に備えられた構造になっていてもよい。
【００１９】
また、滑動子を傾倒可能にするための構造部との連結構造や、滑動子、側方張り出し部等の具体的形態などについては、特段の制限はなく、種々の連結構造、種々の形態をしていてよい。
【００２０】
更に、上記の実施形態では、水平全方向において滑動子１が傾倒できるようになされていると共に、あらゆる傾倒方向において転動子７が存在してその方向の転動子７が受け面２に当接することができるようになされている場合を示したが、本発明の摩擦免震支承構造では、水平一方向の免震のみを行う摩擦免震支承構造として構成されていてもよい。
【図面の簡単な説明】
【００２１】
【図１】図（イ）は実施形態の摩擦免震支承構造を示す一部断面正面図、図（ロ）は図（イ）のＩ−Ｉ線矢視図である。
【図２】図（イ）は該摩擦免震支承構造の作動状態の一例を示す一部断面正面図、図（ロ）は摩擦免震支承構造の作動状態の他の例を示す一部断面正面図である。
【符号の説明】
【００２２】
１…滑動子
２…受け面
６…側方張り出し部
７…転動子
【図１】
2008128462.tif 000003
【図２】
2008128462.tif 000004